(57)【要約】【課題】その時々で最適な撮影条件を複数の撮影条件の中から選択する作業を効率的な手順で支援することを実現したカメラを提供する。【解決手段】このカメラは、サンプル画像を選ぶことによって各シーンに適した撮影条件の設定を簡単に行うことのできるシーンモードを具備している。そして、予め用意された複数のシーンの中から所望のシーンを効率的に選択させるために、このカメラでは、小型の画像表示装置を用いた情報提示であることと、知識や熟練度が各ユーザで異なることとを考慮して、第１段階では、そのシーンのサンプル画像を主体とするガイド表示ｂ１〜ｂ４を行い、第２段階で、そのシーンの撮影条件に関する説明文を主体とするガイドｃ１〜ｃ４表示を実行する。【選択図】      図４
2005311878.tif 000002
【特許請求の範囲】
【請求項１】
表示手段と、
撮影条件設定用に定義された複数のシーンの中からいずれかのシーンを選択する選択手段と、
前記選択手段によりいずれかのシーンが選択された場合、そのシーンの内容を表したサンプル画像を表示主体とする第１の説明画像を前記表示手段に表示させ、この第１の説明画像の表示後、当該シーンの内容を説明する説明文を表示主体とする第２の説明画像を前記表示手段に表示させる制御手段と
を具備することを特徴とするカメラ。
【請求項２】
前記制御手段は、前記第１の説明画像の表示主体となる前記サンプル画像の内容が表された、前記サンプル画像よりも小さな画面サイズの第２のサンプル画像を前記第２の説明画像に含めて表示させることを特徴とする請求項１記載のカメラ。
【請求項３】
前記制御手段は、前記シーンの内容を図式化したアイコンと、その他のシーンの内容を図式化したアイコンとを前記選択手段の操作手引きとして前記第１および第２の説明画像に含めて同時に表示させることを特徴とする請求項１記載のカメラ。
【請求項４】
前記サンプル画像の画像データと、前記第２のサンプル画像の画像データとを各々記憶する記憶手段を具備することを特徴とする請求項２記載のカメラ。
【請求項５】
前記第１のサンプル画像の画像データを記憶する記憶手段と、
前記記憶手段に記憶された前記第１のサンプル画像の画像データから前記第２のサンプル画像の画像データを作成する画像処理手段と
を具備することを特徴とする請求項２記載のカメラ。
【請求項６】
表示手段と、
撮影条件設定用に定義された複数のシーンの中からいずれかのシーンを選択する選択手段と、
前記選択手段によりいずれかのシーンが選択された場合、そのシーンに付されたタイトルを前記表示手段に表示させ、このタイトルの表示後、当該シーンの内容を説明する説明文を前記表示手段に表示させる制御手段と
を具備することを特徴とするカメラ。
【請求項７】
前記制御手段は、前記タイトルおよび説明文を被写体像に重畳させて前記表示手段に表示させることを特徴とする請求項６記載のカメラ。
【請求項８】
表示手段と、撮影条件設定用に定義された複数のシーンの中からいずれかのシーンを選択する選択手段とを備えたカメラの制御方法であって、
前記選択手段によりいずれかのシーンが選択された場合、そのシーンの内容を表したサンプル画像を表示主体とする第１の説明画像を前記表示手段に表示させ、この第１の説明画像の表示後、当該シーンの内容を説明する説明文を表示主体とする第２の説明画像を前記表示手段に表示させる
ことを特徴とするカメラの制御方法。
【請求項９】
前記選択されたシーンの内容を図式化したアイコンと、その他のシーンの内容を図式化したアイコンとを前記選択手段の操作手引きとして前記第１および第２の説明画像に含めて同時に表示させることを特徴とする請求項８記載のカメラの制御方法。
【請求項１０】
表示手段と、撮影条件設定用に定義された複数のシーンの中からいずれかのシーンを選択する選択手段とを備えたカメラの制御方法であって、
前記選択手段によりいずれかのシーンが選択された場合、そのシーンに付されたタイトルを前記表示手段に表示させ、このタイトルの表示後、当該シーンの内容を説明する説明文を前記表示手段に表示させる
ことを特徴とするカメラの制御方法。
【発明の詳細な説明】
【技術分野】
【０００１】
この発明は、その時々で最適な撮影条件を複数の撮影条件の中から選択する作業を効率的な手順で支援することを実現したカメラおよびカメラの制御方法に関する。
【背景技術】
【０００２】
絞り、シャッター速、ＩＳＯ感度等、カメラの撮影条件は一定の範囲で種々の設定が可能である。そして、最近のカメラでは、これらの項目を各々手動で設定するマニュアルモードと、その時の状況に応じて全項目が自動的に設定されるオートモードとの２つの動作モードを備えるものも少なくない。
【０００３】
イメージ通りの画像を得るためには、マニュアルモードで撮影すべきであるが、ある程度の知識や熟練が必要となる。これに対して、オートモードでは、この種の知識や熟練を必要とせずに、一応失敗のない撮影を行うことが可能である。しかしながら、このオートモードで撮影すると、特徴のない画像になってしまうことも多い。
【０００４】
このようなことから、このオートモードをユーザ寄りに一歩進めて、ポートレイト撮影やスポーツ撮影等、より具体的な場面に応じて適切な撮影条件の設定が簡便に行えるようにした、いわゆるシーンモードを備えるカメラも増えている。また、このシーンモードで用意された複数の場面の中から所望の場面を効率的に選択するための方法として、各場面のサンプル画像と説明文とを組にして提示する方法なども提案されている（例えば特許文献１参照）。
【特許文献１】特開２００２−２４７４１８号公報
【発明の開示】
【発明が解決しようとする課題】
【０００５】
ところで、近年、バッテリ駆動可能な携帯タイプの電子機器は、高機能化に加えて小型軽量化の要求が強く、多くのカメラは同じく小型軽量化の傾向にある。つまり、このような傾向にあるカメラでは、限られた情報量しか表示できない小型の画像表示装置しか搭載することができない。従って、このような小型の画像表示装置でサンプル画像と説明文とを組みとした提示を行ったとしても、不慣れなユーザであれば、各場面の特徴が十分に伝わらないおそれもある。一方、手慣れたユーザからすると、所望の場面を選択するために必要な最小限の情報さえ提示されれば足りるのに、不要な情報が多くて却って分かりにくさを感じるという状況も発生させていた。
【０００６】
この発明は、このような事情を考慮してなされたものであり、その時々で最適な撮影条件を複数の撮影条件の中から選択する作業を効率的な手順で支援することを実現したカメラおよびカメラの制御方法を提供することを目的とする。
【課題を解決するための手段】
【０００７】
前述した目的を達成するために、この発明のカメラは、表示手段と、撮影条件設定用に定義された複数のシーンの中からいずれかのシーンを選択する選択手段と、前記選択手段によりいずれかのシーンが選択された場合、そのシーンの内容を表したサンプル画像を表示主体とする第１の説明画像を前記表示手段に表示させ、この第１の説明画像の表示後、当該シーンの内容を説明する説明文を表示主体とする第２の説明画像を前記表示手段に表示させる制御手段とを具備することを特徴とする。
【０００８】
また、この発明は、表示手段と、撮影条件設定用に定義された複数のシーンの中からいずれかのシーンを選択する選択手段とを備えたカメラの制御方法であって、前記選択手段によりいずれかのシーンが選択された場合、そのシーンの内容を表したサンプル画像を表示主体とする第１の説明画像を前記表示手段に表示させ、この第１の説明画像の表示後、当該シーンの内容を説明する説明文を表示主体とする第２の説明画像を前記表示手段に表示させることを特徴とする。
【０００９】
また、この発明のカメラは、表示手段と、撮影条件設定用に定義された複数のシーンの中からいずれかのシーンを選択する選択手段と、前記選択手段によりいずれかのシーンが選択された場合、そのシーンに付されたタイトルを前記表示手段に表示させ、このタイトルの表示後、当該シーンの内容を説明する説明文を前記表示手段に表示させる制御手段とを具備することを特徴とする。
【００１０】
また、この発明は、表示手段と、撮影条件設定用に定義された複数のシーンの中からいずれかのシーンを選択する選択手段とを備えたカメラの制御方法であって、前記選択手段によりいずれかのシーンが選択された場合、そのシーンに付されたタイトルを前記表示手段に表示させ、このタイトルの表示後、当該シーンの内容を説明する説明文を前記表示手段に表示させることを特徴とする。
【発明の効果】
【００１１】
この発明によれば、その時々で最適な撮影条件を複数の撮影条件の中から選択する作業を効率的な手順で支援することを実現したカメラおよびカメラの制御方法を提供できる。
【発明を実施するための最良の形態】
【００１２】
以下、図面を参照してこの発明の実施形態を説明する。
【００１３】
（第１実施形態）
まず、この発明の第１実施形態について説明する。
【００１４】
図１は、この第１実施形態に係るカメラの前面から見た外観図である。本カメラは、被写体像をレンズによりイメージセンサ上に結像して電気信号に変換し、これにより得られた被写体像の画像データを記録メディアに記録するいわゆる電子カメラであり、図１に示すように、その筐体前面には、被写体光をカメラ本体内に取り込むための開口部１と、被写体を照明するためのストロボ２とが設けられている。また、筐体上面には、所望のタイミングで撮影動作を指示するためのレリーズボタン３が設けられている。
【００１５】
一方、図２は、この第１実施形態に係るカメラの背面から見た外観図である。図２に示すように、このカメラの筐体背面には、被写体像や各種メニューを表示するためのカラー液晶ディスプレイ（ＬＣＤ）４、このＬＣＤ４にメニューを表示させたり、その表示させたメニューに応答する操作を行うためのメニュー／ＯＫボタン５、ズーム操作を行うためのズームボタン６ａ，６ｂ、音声出力用のスピーカ７が設けられている。また、筐体上面には、図１に示したほか、音声入力用のマイクロホン８が設けられている。さらに、筐体の一側面には、後述するシーン選択を行うためのダイヤル９、メニュー操作を１つ前に戻すためのバックボタン１０、カメラ動作を撮影モードと再生モードとの間で切り換えるための切換スイッチ１１、カメラの電源をオン／オフするための電源ボタン１２が設けられている。
【００１６】
このカメラは、「風景」、「風景＆人物」、「夜景」、「夜景＆人物」等、撮影が行われる典型的な場面（以下、シーンと称することもある）を選択肢として用意しておき、その中のいずれかの場面が選択されたら、その場面での撮影に適するとされる撮影条件を自動的に設定するシーン機能を備えている。前述のダイヤル９は、このシーン機能におけるシーン選択を行うものである。このダイヤル９によりシーン選択が行われると、そのシーンの説明がＬＣＤ４に表示されるが、このカメラでは、このシーン説明を、極めて効率的な手順で実行する。以下、この点について詳述する。
【００１７】
まず、図３を参照して、このカメラ本体内の機器構成を説明する。開口部１に設けられたズームレンズ１３を通過した被写体光は、絞り１４によって光量が制御された後、さらにＡＦ（自動焦点調整）レンズ１５を通過する。このズームレンズ１３、絞り１４およびＡＦレンズ１５を通過した被写体光は、ＣＣＤ（２次元カラーイメージセンサ）１６に入射して、その撮像面上に被写体像を結像する。
【００１８】
ＣＣＤ１６は、光電変換を行なう複数の画素を２次元のマトリクス状に配列して撮像面を構成し、さらに撮像面にカラーフィルタを配置したものであり、撮像面に結像された被写体像に対応した信号電荷を蓄積する。このＣＣＤ１６には、撮像回路１７が付属しており、この撮像回路１７によって、露光、読み出し、素子シャッタ、ゲイン調整、電力供給等が制御される。また、ＣＣＤ１６からの出力は、Ａ／Ｄ変換器１８によりデジタル信号に変換された後、ＡＥ（自動露出）処理部１９、ＡＦ処理部２０および画像処理部２１に画像信号として入力される。
【００１９】
ＡＥ処理部１９では、Ａ／Ｄ変換器１８より出力されるデジタル化された画素信号を受け、各画素からの画素信号の累積加算を主体とする演算処理を行ない、この累積加算値に基づき被写体の明るさに応じたＡＥ評価値を求める。
【００２０】
ＡＦ処理部２０では、Ａ／Ｄ変換器１８より出力されるデジタル化された画素信号を受け、たとえば１画面分の画素信号の高周波成分をハイパスフィルタにより抽出し、これに対して累積加算等の演算処理を行なうことによって高域側の輪郭成分量に対応するＡＦ評価値を算出する。
【００２１】
また、画像処理部２１では、Ａ／Ｄ変換器１８より出力されるデジタル化された画素信号に対して、ＩＳＯ感度設定、オートホワイトバランス、輝度／色信号生成、ガンマ処理等が施されることにより、所定フォーマットのカラー画像信号が生成される。
【００２２】
この画像処理部２１によって生成されたカラー画像信号は、バッファメモリたるＤＲＡＭ２２に一時的に記憶される。このＤＲＡＭ２２には液晶制御部２３が接続され、カラー画像信号は、ここで表示出力に適した形態に変換されてＬＣＤ４に供給され、スルー画としてリアルタイムに表示される。
【００２３】
また、ＤＲＡＭ２２にはさらに圧縮伸長部２４が接続される。圧縮伸長部２４は、ＤＲＡＭ２２に記憶された画像信号を読み出して圧縮（符号化）処理を行なうことにより、記録媒体２５への記録に適した形態とするための圧縮処理部と、記録媒体２５に記録された画像信号を読み出して伸長（復号化）処理を行なう伸長処理部とからなる。そして、再生時には、伸長処理された画像信号がＤＲＡＭ２２に一時記憶され、液晶制御部２３を経てＬＣＤ４で適宜表示される。また、圧縮伸長部２４は、音声信号に対する圧縮処理や伸長処理を行うことも可能であり、マイクロホン８から入力された音声は、音声処理部２６でデジタル化された後、この圧縮伸長部２４により圧縮されて記録媒体２５に記録され、再生時には、この圧縮伸長部２４により記録媒体２５から読み出されて伸長され、音声処理部２６でアナログ化された後、スピーカ７から出力される。
【００２４】
ストロボ制御回路２７は、ストロボ２の発光量を制御する回路であり、所定量の電荷を蓄積可能なストロボ用コンデンサを備え、このストロボ用コンデンサを充放電させることによってストロボ２を駆動する。
【００２５】
以上の各部の動作は、システムコントローラ２８によりその制御が司られるが、このシステムコントローラ２８は、ＡＥ処理部１９およびＡＦ処理部２０の処理結果と操作部２９（図１のレリーズボタン３、図２のダイヤル９，バックボタン１０等に相当）からの指令に基づいて各部を制御するものであり、ＣＰＵを用いて構成される。
【００２６】
時計回路３０は、独自のバッテリを内蔵し、カメラ本体の電源オフ時も継続的に時刻を計数する時計モジュールであり、その計数した日時情報を出力する。電源回路３１は、各部が動作するために必要な電力を供給制御する。
【００２７】
また、ＥＥＰＲＯＭ３２は、電気的に書き換えが可能な不揮発性メモリであり、各種処理プログラムやこれらの処理プログラムで使用される各種情報が格納される。シーン説明のために使用される情報、後述するサンプル画像や説明文、アイコン等は、すべてこのＥＥＰＲＯＭ３２に格納されている。
【００２８】
次に、図４を参照して、このカメラで実行されるシーン機能でのシーン説明の流れについて説明する。
【００２９】
図４は、このカメラのＬＣＤ４に表示される画面の遷移を表した図であり、撮影モード時におけるＬＣＤ４には、スルー画として撮影画面ａ１（図４の左側）が表示されているのが通常の状態である。また、このカメラでは、オートモード用の撮影条件が初期設定され、ダイヤル９等を操作することにより、シーンモード中の任意のシーン向けの撮影条件に切り換えることができる。撮影画面ａ１中の左上の「Ｐ」は、オートモード用の撮影条件が設定されている旨を示すものである。なお、ここでは、ダイヤル９が操作されるごとに、「風景」、「風景＆人物」、「夜景」、「夜景＆人物」、…の順でシーンが選択されるものとする。
【００３０】
この状態で、ダイヤル９が操作されると、まず、１つ目のシーン、つまり「風景」の第１段階の説明画面ｂ１（図４の中央１段目）をＬＣＤ４に表示する。図５は、この説明画面ｂ１をより分かり易く示すための拡大図であり、図５に示すように、この説明画面ｂ１は、そのシーンの代表的なサンプル画像ｂ１１を表示主体として構成される。サンプル画像ｂ１１を表示主体とした構成なので、この説明画面ｂ１は、限られた表示領域しか持たない小型のＬＣＤ４であっても、そのシーンの特徴を十分に伝えることができる。
【００３１】
また、この説明画面ｂ１の左側には、選択状態にあるシーン（「風景」）を図式化したアイコンｂ２１と共に、その他のシーンを図式化したアイコンｂ２２，ｂ２３，…とをダイヤル操作のガイドとして同時に表示される。
【００３２】
このアイコン表示により、手慣れたユーザに対して、選択状態のシーンが「風景」であり、ダイヤル９を１つ回せば「風景＆人物」、２つ回せば「夜景」に切り替わる旨を一目で把握させることができる。このダイヤル９の操作が行われると、その度に、図４の中央列に示される各シーンの第１段階の説明画面間での切り換えが上から下に向かって巡回的に行われ、所望のシーンの説明画面がＬＣＤ４に表示された状態でメニュー／ＯＫボタン５が押下されると、そのシーンに対応する撮影条件が設定されて、ＬＣＤ４の表示が撮影画面ａ１に復帰する。説明画面がＬＣＤ４に表示された状態でのレリーズ操作も可能であり、レリーズボタン３が押下されると、そのシーンに対応する撮影条件による撮影が即座に行われ、その終了後にＬＣＤ４の表示が撮影画面ａ１に復帰する。
【００３３】
また、説明画面ｂ１がＬＣＤ４に表示された後、無操作状態のまま所定の時間（例えば３秒間）が経過すると、今度は、そのシーンの第２段階の説明画面ｃ１（図４の右側１段目）をＬＣＤ４に表示する。図６は、この説明画面ｃ１をより分かり易く示すための拡大図であり、図６に示すように、この説明画面ｃ１は、そのシーンの説明文ｃ１１を表示主体として構成される。前述のサンプル画像ｂ１１とは別とし、各説明文ｃ１１を表示主体とした構成なので、この説明画面ｃ１は、限られた表示領域しか持たない小型のＬＣＤ４であっても、不慣れなユーザに対して、より詳細な内容の説明文を提示できる。
【００３４】
この説明画面ｃ１の左側には、説明画面ｂ１と同様、ダイヤル操作のガイドとしてアイコンを表示するが、さらに、右側上部には、サンプル画像ｂ１１を縮小した画像ｃ２１が表示される。これにより、説明文の理解を視覚的にも支援する。
【００３５】
この説明画面ｃ１がＬＣＤ４に表示された状態で、メニュー／ＯＫボタン５やレリーズボタン３が押下された場合の流れは、第１段階での説明画面ｂ１と同じであるが、ダイヤル９が操作されると、第２段階の説明画面間での切り換えが行われるのではなく、第１段階の説明画面に復帰した状態で、その第１段階の説明画面間での切り換えが巡回的に行われることになる。また、そのままの状態で所定時間が経過した場合には、そのシーンに対応する撮影条件の設定が行われ、ＬＣＤ４の表示が撮影画面ａ１に復帰する。
【００３６】
図７は、このような手順で選択される各撮影モードでの撮影条件の設定例の一部を示すものであり、図示のように、例えばストロボ２は、「風景」では発光禁止に、「風景＆人物」ではオート発光に各々設定される。
【００３７】
つまり、このカメラでは、サンプル画像を主体とする第１段階のガイド表示と、各シーンに関する説明文を主体とする第２段階のガイド表示とからなる多段階構成のガイド表示を行うことにより、ユーザの知識や熟練度、限られた表示領域を考慮した、極めて効率的な手順でのシーン説明を実現する。
【００３８】
次に、図８および図９を併せて参照して、前述した画面遷移を実現するためのシステムコントローラ２８の制御手順を説明する。
【００３９】
システムコントローラ２８は、操作部２９からダイヤル９の操作を通知されると（図８のステップＡ１のＹＥＳ）、撮影モード選択処理を実行する（図８のステップＡ２）。図９は、この撮影モード選択処理の流れを示すフローチャートである。
【００４０】
ダイヤル９の操作に応答して、システムコントローラ２８は、まず、次のシーンの第１段階の説明画面（画面１）を構成するための情報、つまりサンプル画像やアイコン等をＥＥＰＲＯＭ３２から読み出し、これらによって構成される第１段階の説明画面をＬＣＤ４に表示させるように液晶制御部２３に指示する（ステップＢ１）。次に、システムコントローラ２８は、操作部２９からレリーズボタン３、メニュー／ＯＫボタン６またはダイヤル９の操作が通知されていないかを調べ（ステップＢ２，Ｂ３）、いずれも通知されていなければ（ステップＢ２のＮＯ，Ｂ３のＮＯ）、続いて、（第１段階の説明画面提示後から）所定時間が経過したかどうかを調べる（ステップＢ４）。
【００４１】
もし、所定時間が経過する前に、操作部２９からレリーズボタン３またはメニュー／ＯＫボタン５の操作が通知された場合（ステップＢ２のＹＥＳ）、システムコントローラ２８は、そのシーンに対応する撮影条件を用いた撮影を行うための撮影処理に復帰する（ステップＢ５）。また、操作部２９からダイヤル９の操作が通知された場合には（ステップＢ３のＹＥＳ）、システムコントローラ２８は、さらに次のシーンの第１段階の説明画面を構成するための情報をＥＥＰＲＯＭ３２から読み出し、これらによって構成される第１段階の説明画面をＬＣＤ４に表示させるように液晶制御部２３を指示した後（ステップＢ６）、ステップＢ１からの処理を繰り返す。
【００４２】
一方、レリーズボタン３またはダイヤル９の操作が通知されないまま、所定時間が経過した場合（ステップＢ２）、システムコントローラ２８は、今度は、そのシーンの第２段階の説明画面（画面２）を構成するための情報、つまり説明文や縮小サイズのサンプル画像等をＥＥＰＲＯＭ３２から読み出し、これらによって構成される第２段階の説明画面をＬＣＤ４に表示させるように液晶制御部２３に指示する（ステップＢ７）。この第２段階の説明画面上でのサンプル画像は、第１段階の説明画像のサンプル画像を画像処理にて縮小することで作成可能であるが、応答性を高めるために、それぞれの画像情報を個別にＥＥＰＲＯＭ３２に用意する。なお、この第２段階のサンプル画像をＥＥＰＲＯＭ３２には用意せずに必要に応じて第１段階のサンプル画像を画像処理部２にて圧縮処理して作成するようにしても良い。ＥＥＰＲＯＭ３２に個別に用意した場合には、表示の応答性が高くなるという利点がある。
【００４３】
この第２段階の説明画面を提示した後、システムコントローラ２８は、操作部２９からレリーズボタン３またはメニュー／ＯＫボタン５の操作が通知され、または、所定時間が経過した場合に（ステップＢ８のＹＥＳ）、そのシーンに対応する撮影条件を用いた撮影を行うための撮影処理に復帰する（ステップＢ５）。また、操作部２９からダイヤル９の操作が通知された場合には（ステップＢ９のＹＥＳ）、システムコントローラ２８は、さらに次のシーンの（第２段階の説明画面ではなく）第１段階の説明画面を構成するための情報をＥＥＰＲＯＭ３２から読み出し、これらによって構成される第１段階の説明画面をＬＣＤ４に表示させるように液晶制御部２３を指示した後（ステップＢ６）、ステップＢ１からの処理を繰り返す。
【００４４】
なお、ステップＢ８では、撮影処理に復帰する条件として、レリーズボタン３の押下の他、メニュー／ＯＫボタン５の操作と所定時間の経過とが判定されているが、このメニュー／ＯＫボタン５の操作と所定時間の経過とについては、いずれか一方のみを当該条件とするようにも変形できる。
【００４５】
以上の制御手順をシステムコントローラ２８が備えることにより、このカメラは、サンプル画像を主体とする第１段階のガイド表示と、各シーンに関する説明文を主体とする第２段階のガイド表示とからなる多段階構成のガイド表示が行われる。これにより、ユーザの知識や熟練度、限られた表示領域を考慮した、極めて効率的な手順でのシーン説明が実現される。
【００４６】
なお、ここでは、ダイヤル９の操作に応答して、撮影画面ａ１からシーン選択用の画面ｂ１に移行させる例を説明したが、例えば図１０に示すように、メニュー／ＯＫボタン５が押下された際、「シーン選択」を選択肢として含むメニューをＬＣＤ４に表示し、この「シーン選択」がダイヤル９により選択された状態で再度メニュー／ＯＫボタン５が押下された場合に、シーン選択用の画面ｂ１に移行するようにしても良い。
【００４７】
図１１は、この画面遷移を実現するためのシステムコントローラ２８の制御手順を示すフローチャートであり、システムコントローラ２８は、操作部２９からメニュー／ＯＫボタン５の操作を通知されると（ステップＣ１のＹＥＳ）、まず、メニュー表示を行うための情報をＥＥＰＲＯＭ３２から読み出し、これらによって構成されるメニュー画面をＬＣＤ４に表示させるように液晶制御部２３を指示する（ステップＣ２）。その後、操作部２９からダイヤル９およびメニュー／ＯＫボタン５の操作が通知され、さらにそれが「シーン選択」の選択に該当するものであれば（ステップＣ３のＹＥＳ）、システムコントローラ２８は、撮影モード選択処理を実行する（ステップＣ４）。
【００４８】
このように、例えば撮影画面ａ１からシーン選択用の画面ｂ１まで等、画面の遷移については、種々の変形が可能である。
【００４９】
以上のように、この第１実施形態のカメラおよびカメラの制御方法においては、シーンモードで用意された複数のシーンの中からいずれかのシーンを選択する場合のユーザ支援策として、小型の画像表示装置を用いた情報提示であることと、知識や熟練度が各ユーザで異なることとを考慮した段階的なガイド表示を実行する。つまり、第１段階では、そのシーンのサンプル画像を主体とする表示を行い、第２段階で、そのシーンの説明文を主体とする表示を行う。
【００５０】
このような段階的なガイド表示を行うことにより、小型の画像表示装置であっても、サンプル画像および説明文のそれぞれを見やすく提示することができ、また、説明を必要としない程度の知識や熟練度をもつユーザに対しては、不要な情報の提示を省略可能な効率的な作業環境を提供できる。
【００５１】
（第２実施形態）
次に、この発明の第２実施形態を説明する。
【００５２】
図１２は、このカメラで実行されるシーン機能でのシーン説明の流れを示す画面変遷図である。この第２実施形態と前述した第１実施形態との違いは、第１に、第１段階の説明画面ｂ’１の表示主体をサンプル画像からタイトルに代えた点にある。第２に、第１段階の説明画面ｂ’１および第２段階の説明画面ｃ’１の双方ともに、スルー画として表示される撮影画面ａ１に重畳させて、シーン説明に必要な情報を提示した点にある。
【００５３】
図１３は、第１段階の説明画面ｂ’１をより分かり易く示すための拡大図、図１４は、第２段階の説明画面ｃ’１をより分かり易く示すための拡大図である。
【００５４】
図１３に示すように、各シーンの特徴を表すタイトルが表示されれば、手慣れたユーザであれば、シーン選択のための情報としては十分であると思われる。また、図１３および図１４に示すように、撮影画面ａ１に重畳させて各情報を提示することにより、いわゆるシャーターチャンスを逃すことも防止できる。
【００５５】
以上のように、この第２実施形態のカメラおよびカメラの制御方法においては、第１段階では、そのシーンのタイトルのみの表示を行い、第２段階で、そのシーンの説明文の表示を行う。
【００５６】
このような段階的なガイド表示を行うことにより、第１実施形態と同様、小型の画像表示装置を用いた情報提示であることと、知識や熟練度が各ユーザで異なることとが考慮された効率的な制御が実現される。
【００５７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５８】
【図１】この発明の第１実施形態に係るカメラの前面から見た外観図
【図２】同第１実施形態のカメラの背面から見た外観図
【図３】同第１実施形態のカメラ本体内の機器構成図
【図４】同第１実施形態のカメラで実行されるシーン機能でのシーン説明の流れを示す画面変遷図
【図５】同第１実施形態のカメラで表示される第１段階の説明画面をより分かり易く示すための拡大図
【図６】同第１実施形態のカメラで表示される第２段階の説明画面をより分かり易く示すための拡大図
【図７】同第１実施形態のカメラによる各撮影モードでの撮影条件の設定例の一部を示す図
【図８】同第１実施形態のカメラにおけるシステムコントローラの制御手順を示すフローチャート
【図９】同第１実施形態のカメラにおけるシステムコントローラが実行する撮影モード選択処理の流れを示すフローチャート
【図１０】同第１実施形態のカメラで実行されるシーン機能でのシーン説明の流れを示す画面変遷図（変形例）
【図１１】同第１実施形態のカメラにおけるシステムコントローラの制御手順を示すフローチャート（変形例）
【図１２】同第２実施形態のカメラで実行されるシーン機能でのシーン説明の流れを示す画面変遷図
【図１３】同第２実施形態のカメラで表示される第１段階の説明画面をより分かり易く示すための拡大図
【図１４】同第２実施形態のカメラで表示される第２段階の説明画面をより分かり易く示すための拡大図
【符号の説明】
【００５９】
１…開口部、２…ストロボ、３…レリーズボタン、４…ＬＣＤ、５…メニュー／ＯＫボタン、６ａ，６ｂ…ズームボタン、７…スピーカ、８…マイクロホン、９…ダイヤル、１０…バックボタン、１１…切換スイッチ、１２…電源ボタン、１３…ズームレンズ、１４…絞り、１５…ＡＦレンズ、１６…ＣＣＤ、１７…撮像回路、１８…Ａ／Ｄ変換器、１９…ＡＥ処理部、２０…ＡＦ処理部、２１…画像処理部、２２…ＤＲＡＭ、２３…液晶制御部、２４…圧縮伸長部、２５…記録媒体、２６…音声処理部、２７…ストロボ制御回路、２８…システムコントローラ、２９…操作部、３０…時計回路、３１…電源回路、３２…ＥＥＰＲＯＭ。
【図１】
2005311878.tif 000003
【図２】
2005311878.tif 000004
【図３】
2005311878.tif 000005
【図４】
2005311878.tif 000006
【図５】
2005311878.tif 000007
【図６】
2005311878.tif 000008
【図７】
2005311878.tif 000009
【図８】
2005311878.tif 000010
【図９】
2005311878.tif 000011
【図１０】
2005311878.tif 000012
【図１１】
2005311878.tif 000013
【図１２】
2005311878.tif 000014
【図１３】
2005311878.tif 000015
【図１４】
2005311878.tif 000016